(57)【要約】      （修正有）【課題】組立が便利で、手早く完成させることができる構造的に丈夫な収容ケースの組立構造を提供する。【解決手段】二枚の板体における角部に隣接する側面２１側の内壁に少なくとも一本以上の溝２２が設けられている収容ケースの組立構造であって、角部係合体１０には互いに垂直となり、しかも開口端が外側に向いている二つの対称した貫通スライド空間１１が設けられ、二つのスライド空間１１の隣接する側壁には少なくとも一本以上の突起１２が設けられており、板体の側面２１側の内壁に位置している溝２２に対応して係合することで、組立が簡単で手早く、丈夫な構造を兼ね備えた。【選択図】図２
0003146402.tif 000002
【実用新案登録請求の範囲】
【請求項１】
収容ケースの組立構造であって、
互いに垂直となるうえ開口端が外側に向いている二つの対称した貫通スライド空間が設けられ、前記二つのスライド空間は外側板に対する内側の隣接する側壁に少なくとも一本以上の突起が設けられている角部係合体と、
隣接する内壁に、スライド空間の突起に対応して係合する溝が設けられ、底部に係合溝が設けられている二枚の板体と、
板体が組合わされた後の底部の開口、および係合溝に嵌入した後の寸法に合致する底板と、を備え、
以上の部材の構成により、組立が簡単で、接合構造が丈夫となる、ことを特徴とする収容ケースの組立構造。
【請求項２】
前記角部係合体が、二つのスライド空間における外側板とその隣接する内側壁とがなす角度が概ね９０度未満である、ことを特徴とする請求項１に記載の収容ケースの組立構造。
【請求項３】
前記角部係合体における二つの対称したスライド空間にて、隣接する封止端の外縁が円弧状の化粧縁として一体的に連続している、ことを特徴とする請求項１に記載の収容ケースの組立構造。
【請求項４】
前記角部係合体における二つの対称したスライド空間にて、隣接する封止端の外縁が直角の化粧縁として一体的に連続している、ことを特徴とする請求項１に記載の収容ケースの組立構造。
【請求項５】
前記角部係合体における二つの対称したスライド空間にて、隣接する封止端の外縁が扇形の化粧縁として一体的に連続している、ことを特徴とする請求項１に記載の収容ケースの組立構造。
【考案の詳細な説明】
【技術分野】
【０００１】
本考案は構造が簡単で、組立が便利でしかも手早く組み立てられる収容ケースの組立構造の刷新的な技術に関する。
【背景技術】
【０００２】
家具における板体の隣接する角部に関する連結構造は、日常生活において、例えば、本棚、衣装ケース、食器棚類、大小の収納ケース類、またはテーブル、棚、ボックスなどといった有形空間を有する構造に多く見られる。しかし前記した各種商品の多くは、工場出荷前に一定の形状に組み立てられ、そして場合によってはこれ以上取り外し分解ができなくなっており、倉庫や販売場所の空間を取りすぎてしまい、しかも人力による組立および運送コストの増加を招くわけであるが、最終的にこれら経費は消費者の負担となってしまっている。そこで業者では販売量を伸ばすために、商品構造の形態を改変することを出発点として、さらに販売戦略を加えることで、消費者自ら組立完成させるものを発表した。これにより、消費者自分自身が手を加える喜びを高めるだけでなく、販売価格を抑えることができる。この方法は消費者に受け入れられたうえ、近年来多くの製品における製造、販売モデルとなっている。
【０００３】
ただし、上記したこれら商品は消費者にＤＩＹ組立の構造・部品を提供しているが、ナットにワッシャを組合わせた後に、ナットで緊締するか、または部品上に予めねじ穴が設けられており、さらにねじ緊締の方式で定型組立を完成するに外ならない。たしかにこのような板体における角部の結合方式は簡単であるとは言え、その他の補助的な工具を合わせて使用しなければならない。したがって、他の業者では、図１に示すような収容ケースの組立構造におけるパネルの角部結合部材を開発している。これによれば、前記パネル１の角部結合部材３は、断面の中心箇所から両側に向かって対称の収容辺５が延在し、さらに前記二つの収容辺の末端には内側に向かって小さな折り返し４が延在している対称形態の構造型部材を備えており、前記収容ケース構造は角部６の各パネル１の組付け辺の外側面における角部結合部材３の末端の折り返し４に対応して、折り返し４を嵌め込むための溝７が設けられていることを特徴としている。これにより、収容ケース構造は角部６の板端部２にて角部結合部材３で堅固に組み立てられて、手早く組み立てることができ、便利で実用的なものとなる。
【０００４】
上記構造では、確かに組立が簡単という効果は得られる。しかし、以下のような改善が待たれる課題がある。
【０００５】
１．前記パネルの角部結合部材３は角の形状を変化させることができる。しかし、予め嵌め込みに合わせる各パネル１の組付け辺は、前記角の形状寸法の規格に合致する外観形状に別途加工しなければならず、徒に製造コストが嵩むという欠点がある。
【０００６】
２．さらに、角部結合部材３の形状変化が大きくなるほど、パネル１の組付け辺に対する加工が難しくなり、組立時の難度が増してしまう。
これに鑑み、考案者は鋭意創作を経て、収容ケースの組立構造に設計を施し、数回に及ぶ試作、実験の後に、ついに本考案を想到するとともに、本願の実用新案を出願するに至った。
【考案の開示】
【０００７】
本考案の主な目的は、組立が便利で、手早く完成させることができる構造的に丈夫な収容ケースの組立構造を提供するものである。
【０００８】
上記目的を達成するために、本考案では主に、板体の側面を嵌め合わせるように、開口端が外側に向いている二つの対称した貫通スライド空間を有する角部係合体であって、前記二つのスライド空間は内側の隣接する側壁に少なくとも一本以上の突起が一体的に延在しており、そして板体はその内壁の側面側寄りの位置に、板体の側面を手早く係合体のスライド空間に嵌合させて固定することができる前記突起に対応して係合する溝が設けられている、収容ケースの組立構造を提供するものである。これにより、板体と角部との組付けが簡単になり、構造的に丈夫となる効果が得られる。
【０００９】
ここではさらに本考案の好ましい実施例の構造的特徴および取り扱いについて、図面を合わせて下記のとおり詳細な説明を行う。
【考案を実施するための最良の形態】
【００１０】
図２ないし図５に示す本考案の収容ケースの組立構造を参照されたい。これには下記のものが含まれている。
【００１１】
板体２０の側面２１に嵌め合わせるように、互いに垂直となるうえ開口端が外側に向いている二つの対称した貫通スライド空間１１が設けられている角部係合体１０であり、前記二つのスライド空間１１は内側の隣接する側壁に、板体２０の側面２１側の内壁に位置する溝２２に対応して係合する少なくとも一本以上の突起１２が設けられている、角部係合体１０と、
二つの側面２１側の内壁にスライド空間１１の突起１２に対応して係合する溝２２が設けられている各板体２０と、を備え、
板体２０の底部には底板２４に対応して係合固定される係合溝２３が設けられ、
前記係合溝２４は概ね板体２０の接合後の底部の開口寸法よりも大きいとともに、板体２０が係合溝２３に嵌入された後の寸法に合うようになっている。
【００１２】
上記部材により、前記角部係合体１０の互いに垂直となる二つのスライド空間１１は、二枚の板体２０の隣接する側面２１を受け入れて密着して嵌合するとともに、前記突起１２と溝２２とが互いに嵌合して、そして底板２４が板体２０の係合溝に嵌入して固定されることで、手早く嵌め込み固定されて緩むことのない収容ケースの構造が完成される。
【００１３】
また、図３に示すように、本考案における角部係合体１０は二つのスライド空間１１の外側板１３とその隣接する内側壁１４とがなす角度が概ね９０度未満とされることで、板体２０の側面２１がスライド空間１１に嵌入された後、外側板１３を外向きに開かせて、そして外側板１３が外向きに開く際に生じる戻ろうとする応力により、強力な挟持性の押圧作用をもたらすことで、板体２０の側面２１が密着して確実にスライド空間１１に係合固定されて、緩むことがなくなる。また補充説明するが、前記角部係合体１０は、一方のスライド空間の短辺と他方のスライド空間の長辺とが同じ壁の両面を用いており、角部係合体の二つのスライド空間における外側板が長短不一致の外観デザインを形成している。
【００１４】
図６、７、８に示すように、これはそれぞれ本考案における角部係合体１０に上記構造の実施例の特徴を保ったまま、そのデザイン形態に対する派生的な実施例の参考図である。これでは主に、連接されてしかも互いに垂直状態となっている二つの対称したスライド空間１１にて、隣接する封止端の外縁に一体的で連続した円弧状の化粧縁１５、または直角の化粧縁１６、または扇形の化粧縁１７、またはその他各種規則的もしくは不規則な幾何学線状の化粧縁などの外観的な設計の変化を施すことで、収容ケースの組立構造の美観および装飾性を高めた多用途の形状デザインをもたらすことができる。
【００１５】
上記をまとめるに、本願の創作になる構造はすでに産業の利用可能性、新規性および進歩性を備えるとともに、刷新的で、実質的な効果の増進を確かに備え、実用新案の成立要件に適合しているので、合法的な実用新案権が付与されることを切望するものである。
【図面の簡単な説明】
【００１６】
【図１】従来の収容ケースにおけるパネルの角部接合の構造図である。
【図２】本考案の構造の好ましい実施例の分解概略図である。
【図３】本考案の構造の好ましい実施例の組立外観図である。
【図４】本考案の構造の好ましい実施例の組立拡大図である。
【図５】本考案の構造の好ましい実施例の係合体の平面図である。
【図６】本考案の構造の係合体における他の好ましい実施例一の平面図である。
【図７】本考案の構造の係合体における他の好ましい実施例二の平面図である。
【図８】本考案の構造の係合体における他の好ましい実施例三の平面図である。
【符号の説明】
【００１７】
１０            角部係合体
１１            スライド空間
１２            突起
１３            外側板
１４            内側壁
１５            円弧状の化粧縁
１６            直角の化粧縁
１７            扇形の化粧縁
２０            板体
２１            側面
２２            溝
２３            係合溝
２４            底板
【図１】
0003146402.tif 000003
【図２】
0003146402.tif 000004
【図３】
0003146402.tif 000005
【図４】
0003146402.tif 000006
【図５】
0003146402.tif 000007
【図６】
0003146402.tif 000008
【図７】
0003146402.tif 000009
【図８】
0003146402.tif 000010